(57)【要約】【課題】印刷媒体をラミネート加工した後に入力画像の色を高精度に再現する。【解決手段】色変換方法は、複数パッチのカラーチャートを印刷媒体に印刷し、紫外線のカットありとなしの状態で測色したラミネート加工前の分光反射率を取得し、次いで、紫外線のカットありとなしの状態で測色したラミネート加工後の分光反射率を取得し、ラミネート加工前後の分光反射率を変換する分光反射率変換式を算出し、ラミネート加工による紫外線カット率を算出し、分光反射率変換式と紫外線カット率とを用いてラミネート加工後の分光反射率を算出し、算出されたラミネート加工後の分光反射率と光源の分光分布データとを用いてラミネート加工後に入力画像の色を再現させるラミネート加工後のプロファイルを作成し、ラミネート加工後のプロファイルを用いて入力画像の色を変換する。【選択図】図５
2022002372.tif 000002
【特許請求の範囲】
【請求項１】
入力画像をラミネート加工される印刷媒体に印刷する場合の色に変換する色変換方法であって、
複数パッチのカラーチャートを特定の印刷装置を用いて前記印刷媒体に印刷し、
前記カラーチャートを、ラミネート加工前の紫外線のカットありとなしの状態で測色してラミネート加工前の分光反射率を取得し、
ラミネート加工された前記カラーチャートに対し、紫外線のカットありとなしの状態で測色してラミネート加工後の分光反射率を取得し、
ラミネート加工前の分光反射率からラミネート加工後の分光反射率を求める分光反射率変換式を算出し、
ラミネート加工前の分光反射率とラミネート加工後の分光反射率とを用いてラミネート加工による紫外線カット率を算出し、
前記分光反射率変換式と紫外線カット率とを用いて、前記入力画像が前記特定の印刷装置を用いて印刷された場合の前記印刷媒体のラミネート加工後の分光反射率を算出し、
算出されたラミネート加工後の分光反射率と光源の分光分布データとを用いてラミネート加工後に前記入力画像の色を再現させるラミネート加工後のプロファイルを作成し、
ラミネート加工後のプロファイルを用いて前記入力画像の色を変換する、
色変換方法。
【請求項２】
前記分光反射率変換式を作成する工程は、
可視光線における任意の間隔の波長毎に前記分光反射率変換式を作成することを特徴とする請求項１に記載の色変換方法。
【請求項３】
前記分光反射率変換式を作成する工程は、
前記分光反射率変換式を作成した結果の複数種類をデータベースに格納し、前記データベースを基に、機械学習を用いて、前記分光反射率変換式を作成することを特徴とする請求項１又は請求項２に記載の色変換方法。
【請求項４】
ラミネート加工後の分光反射率を算出する工程は、
機械学習を用いて、ラミネート加工後の分光反射率を算出することを特徴とする請求項１から請求項３のいずれか一項に記載の色変換方法。
【請求項５】
ラミネート加工後のプロファイルにより変換された前記入力画像を印刷した印刷物をラミネート加工後に測色した分光反射率の結果と、
ラミネート加工前のプロファイルにより変換された前記入力画像を印刷した印刷物を測色した分光反射率の結果と、
の色差ΔＥは、ラミネート加工後の印刷物のガマット内にある色において、２以下であることを特徴とする請求項１から請求項４のいずれか一項に記載の色変換方法。
【請求項６】
入力画像をラミネート加工される印刷媒体に印刷するための色変換を行う色変換装置であって、
特定の印刷装置を用いて印刷された複数パッチのカラーチャートの分光反射率を取得する分光反射率取得部と、
ラミネート加工前の紫外線のカットありとなしの状態で測色されたラミネート加工前の分光反射率と、ラミネート加工後の紫外線のカットありとなしの状態で測色されたラミネート加工後の分光反射率とを用い、ラミネート加工前の分光反射率からラミネート加工後の分光反射率を求める分光反射率変換式を算出する変換式算出部と、
ラミネート加工による紫外線カット率を算出する紫外線カット率算出部と、
前記分光反射率変換式と紫外線カット率とを用いて、特定の印刷装置を用いて前記入力画像が印刷された場合の前記印刷媒体のラミネート加工後の分光反射率を算出するラミネート加工後分光反射率算出部と、
算出されたラミネート加工後の分光反射率と光源の分光分布データとを用いてラミネート加工後に前記入力画像の色を再現させるラミネート加工後のプロファイルを作成するプロファイル作成部と、
ラミネート加工後のプロファイルを用いて前記入力画像の色を変換する色変換部と、
を備えることを特徴とする色変換装置。
【発明の詳細な説明】
【技術分野】
【０００１】
本開示は、色変換方法及び色変換装置に関する。
【背景技術】
【０００２】
インクジェット方式で印刷された印刷物には、画像の耐候性を向上させるためにラミネートフィルムなどの保護膜で被覆する、ラミネート加工が施されることがある。ラミネート加工後に印刷物の入力画像の色を再現させる色再現性を向上させるために、例えば、特許文献１には、印刷物の分光反射率を取得し、保護膜の光学物性値を推測し、取得された印刷物の分光反射率と推定された保護膜の光学物性値とを用いて保護膜付印刷物の光学反射率を予測する方法が開示されている。
【先行技術文献】
【特許文献】
【０００３】
【特許文献１】特開２０１１−７５３０４号公報
【発明の概要】
【発明が解決しようとする課題】
【０００４】
しかしながら、特許文献１に示すような、ラミネート加工後の印刷物の分光反射率を予測するだけでは、ラミネート加工後に入力画像の色を精度良く再現させるプロファイルを生成することが困難であった。特に、印刷物のメディアが蛍光増白剤を含む場合には、より困難性があった。
【課題を解決するための手段】
【０００５】
本開示の一形態によれば、入力画像をラミネート加工される印刷媒体に印刷する場合の色に変換する色変換方法が提供される。この色変換方法は、複数パッチのカラーチャートを特定の印刷装置を用いて前記印刷媒体に印刷し、前記カラーチャートを、ラミネート加工前の紫外線のカットありとなしの状態で測色してラミネート加工前の分光反射率を取得し、ラミネート加工された前記カラーチャートに対し、紫外線のカットありとなしの状態で測色してラミネート加工後の分光反射率を取得し、ラミネート加工前の分光反射率からラミネート加工後の分光反射率を求める分光反射率変換式を算出し、ラミネート加工前の分光反射率とラミネート加工後の分光反射率とを用いてラミネート加工による紫外線カット率を算出し、前記分光反射率変換式と紫外線カット率とを用いて、前記入力画像が前記特定の印刷装置を用いて印刷された場合の前記印刷媒体のラミネート加工後の分光反射率を算出し、算出されたラミネート加工後の分光反射率と光源の分光分布データとを用いてラミネート加工後に前記入力画像の色を再現させるラミネート加工後のプロファイルを作成し、ラミネート加工後のプロファイルを用いて前記入力画像の色を変換する。
【０００６】
本開示の一形態によれば、入力画像をラミネート加工される印刷媒体に印刷するための色変換を行う色変換装置が提供される。この色変換装置は、特定の印刷装置を用いて印刷された複数パッチのカラーチャートの分光反射率を取得する分光反射率取得部と、ラミネート加工前の紫外線のカットありとなしの状態で測色されたラミネート加工前の分光反射率と、ラミネート加工後の紫外線のカットありとなしの状態で測色されたラミネート加工後の分光反射率とを用い、ラミネート加工前の分光反射率からラミネート加工後の分光反射率を求める分光反射率変換式を算出する変換式算出部と、ラミネート加工による紫外線カット率を算出する紫外線カット率算出部と、前記分光反射率変換式と紫外線カット率とを用いて、特定の印刷装置を用いて前記入力画像が印刷された場合の前記印刷媒体のラミネート加工後の分光反射率を算出するラミネート加工後分光反射率算出部と、算出されたラミネート加工後の分光反射率と光源の分光分布データとを用いてラミネート加工後に前記入力画像の色を再現させるラミネート加工後のプロファイルを作成するプロファイル作成部と、ラミネート加工後のプロファイルを用いて前記入力画像の色を変換する色変換部と、を備えることを特徴とする。
【図面の簡単な説明】
【０００７】
【図１】実施形態に係る画像処理の概要を模式的に例示する図である。
【図２】第２色分版テーブルの概略構成を示す説明図である。
【図３】色変換装置の概略構成を示すブロック図である。
【図４】分光反射率を取得する工程を示す図である。
【図５】色変換装置における第３プロファイルを作成する構成を示す説明図である。
【図６】各パッチについて、紫外線カットありの状態で測定された４３０ｎｍにおける第１の反射率と第３の反射率の関係を示したグラフである。
【図７】各パッチについて、紫外線カットなしの状態で測定された４３０ｎｍにおける第２の反射率と第４の反射率の関係を示すグラフである。
【図８】印刷媒体の蛍光増白剤の効果を考慮した色変換テーブルの作成工程を示す説明図である。
【図９】印刷媒体の蛍光増白剤の効果を考慮した色変換テーブルの作成工程を示す説明図である。
【図１０】各プロファイルに含まれるＡ２Ｂテーブル，Ｂ２Ａテーブル、Ａ２Ａテーブルを示す説明図である。
【図１１】色変換処理フローチャートである。
【図１２】他の実施形態に係る画像処理の概要を模式的に例示する図である。
【発明を実施するための形態】
【０００８】
Ａ． 第１実施形態：
Ａ−１）色変換処理の概要：
本開示の色変換装置についての説明に先立って、画像の記録（印刷）を行なって印刷画像が形成された被記録媒体（印刷用紙）をラミネート加工する場合が想定された画像処理の概要について、図１を参照しながら説明する。図１は、実施形態に係る画像処理の概要を模式的に例示する図である。
【０００９】
色変換装置１００は、入力画像ＩＭ０のデバイスカラーＲＧＢｉｎを印刷装置２００が使用するインク使用量ＩＮＫ１、ＩＮＫ２に変換する。ここで、インク使用量ＩＮＫ１は、印刷装置２００により印刷された印刷画像ＩＭ１がラミネート加工されない場合に、入力画像ＩＭ０の色を再現させるインク使用量であり、インク使用量ＩＮＫ２は、印刷装置２００により印刷された印刷画像ＩＭ２がラミネート装置３００によってラミネート加工されることで生成される印刷画像ＩＭ３が、ラミネート加工されていない印刷画像ＩＭ１の色を再現させるインク使用量である。
【００１０】
色変換装置１００は、ＲＩＰ（Raster Image Processor）４００と、第１色分版テーブル７５０ａと、第２色分版テーブル７５０ｂと、を備える。ＲＩＰ４００は、ハードウエアもしくはソフトウエアで構成されている。ＲＩＰ４００は、入力画像ＩＭ０のデバイスカラーＲＧＢｉｎをＣＭＹＫ（Ｃ：シアン、Ｍ：マゼンタ、Ｙ：イエロー、及び、Ｋ：ブラック）の印刷色を表すデバイスカラーｃｍｙｋ１に変換する。なお、ＲＩＰ４００に入力される入力画像ＩＭ０のデバイスカラーは、ＲＧＢ色空間のデバイスカラーの他、ＣＭＹＫ色空間のデバイスカラーや他の色空間のデバイスカラーであってもよい。また、ＲＩＰ４００からの出力されるデバイスカラーは、ＣＭＹＫ色空間のデバイスカラーの他、ＲＧＢ色空間のデバイスカラーであってもよい。本実施形態では、入力されるデバイスカラーは、ＲＧＢ色空間のデバイスカラーであり、出力されるデバイスカラーは、ＣＭＹＫ色空間のデバイスカラーであるものとして説明する。第１色分版テーブル７５０ａは、ＲＩＰ４００から出力されたＣＭＹＫ色空間のデバイスカラーｃｍｙｋ１とＣ，Ｍ，Ｙ，Ｋそれぞれのインク使用量ＩＮＫ１を表す階調値とを対応付けるテーブルであり、印刷物が印刷後にラミネート加工されない場合に用いられる。第２色分版テーブル７５０ｂは、ＣＭＹＫ色空間のデバイスカラーｃｍｙｋ１とＣ，Ｍ，Ｙ，Ｋそれぞれのインク使用量ＩＮＫ２を表す階調値とを対応付けるテーブルであり、印刷物が印刷後にラミネート加工される場合に用いられる。
【００１１】
ＲＩＰ４００は、第１プロファイル６１０と第２プロファイル６２０を有している。第１プロファイル６１０は、入力画像ＩＭ０を取り扱う特定の機器に依存するＲＧＢ色空間などの機器依存色空間と機器に依存しないＣＩＥ（国際照明委員会）Ｌ*ａ*ｂ*色空間などの機器非依存色空間との相関関係を記述したＩＣＣ（International Color Consortium）プロファイルである。以下の説明では、ＣＩＥ  Ｌ*ａ*ｂ*色空間をＬＡＢ色空間と記す。第２プロファイル６２０は、印刷装置２００に依存するＣＭＹＫ色空間などの機器依存色空間とＬＡＢ色空間などの機器非依存色空間との相関関係を記述したＩＣＣプロファイルである。
【００１２】
第１プロファイル６１０は、機器依存色空間のデバイスカラーから機器非依存色空間の色彩値に変換するＡ２Ｂテーブルを備えており、第２プロファイル６２０は、機器非依存色空間の色彩値から印刷装置２００及び印刷媒体に依存する機器依存色空間のデバイスカラーｃｍｙｋ１に変換するＢ２Ａテーブルを備えている。入力画像ＩＭ０のデバイスカラーＲＧＢｉｎは、第１プロファイル６１０のＡ２Ｂテーブルに従ってＬＡＢ色空間の色彩値Ｌａｂに変換され、第２プロファイル６２０のＢ２Ａテーブルに従ってＣＭＹＫ色空間のデバイスカラーｃｍｙｋ１に変換される。
【００１３】
印刷された画像がラミネート加工されない場合には、デバイスカラーｃｍｙｋ１は、第１色分版テーブル７５０ａによりインク使用量ＩＮＫ１を表すデータに変換されて印刷装置２００に送信される。このインク使用量ＩＮＫ１により、印刷画像ＩＭ１が印刷媒体に記録される。又、印刷された画像がラミネート加工される場合には、デバイスカラーｃｍｙｋ１は、第２色分版テーブル７５０ｂによりインク使用量ＩＮＫ２を表すデータに変換されて印刷装置２００に送信される。このインク使用量ＩＮＫ２により、印刷画像ＩＭ２が印刷媒体に記録される。
【００１４】
印刷された画像がラミネート加工されない場合には、印刷装置２００は、インク使用量ＩＮＫ１に従って、ＣＭＹＫ（シアン、マゼンタ、イエロー、ブラック）のインクを使用し、ラミネート加工されていない印刷画像ＩＭ１にデバイスカラーＲＧＢｉｎを再現させる。
【００１５】
印刷された画像がラミネート加工される場合には、印刷装置２００は、インク使用量ＩＮＫ２に従って、ＣＭＹＫ（シアン、マゼンタ、イエロー、ブラック）のインクを使用し、ラミネート加工後の印刷画像ＩＭ３にデバイスカラーＲＧＢｉｎを再現させる。このように、色変換装置１００が第１分版テーブル７５０ａと第２分版テーブル７５０ｂとを用意しているのは、印刷された印刷媒体がラミネート加工されない場合とラミネート加工される場合とでは、印刷媒体上の印刷画像の見え方が異なるからである。本実施形態では、後述する変換を行なうことで、ラミネート加工されない場合とラミネート加工された場合とで、利用者から見た印刷画像が、入力画像と同じように見えるようにしている。
【００１６】
印刷装置２００は、ＣＭＹＫ（シアン、マゼンタ、イエロー、ブラック）のインクを使用し、印刷を実行するが、さらに、Ｃ（シアン）よりも低濃度のＬｃ（ライトシアン）、Ｍ（マゼンタ）よりも低濃度のＬｍ（ライトマゼンタ）、Ｋ（ブラック）よりも低濃度のＬｋ（ライトブラック）のインクを有し、Ｃ，Ｍ，Ｙ，Ｋ，Ｌｃ，Ｌｍの計６色のインクを使用してもよい。この場合、第１色分版テーブル７５０ａは、ＣＭＹＫ色空間のデバイスカラーｃｍｙｋ１とＣ，Ｍ，Ｙ，Ｋ，Ｌｃ，Ｌｍそれぞれのインク使用量ＩＮＫ１を表す階調値とが対応付けられたテーブルとなり、第２色分版テーブル７５０ｂは、ＣＭＹＫ色空間のデバイスカラーｃｍｙｋ１とＣ，Ｍ，Ｙ，Ｋ，Ｌｃ，Ｌｍそれぞれのインク使用量ＩＮＫ２を表す階調値とが対応付けられたテーブルとなる。さらに、Ｃ，Ｍ，Ｙ，Ｋ，Ｌｃ，Ｌｍの６色に加え、Ｙ（イエロー）よりも高濃度のＤｙ（ダークイエロー）を含む７色のインクを用いるようにしてもよい。
【００１７】
図２は、第２色分版テーブル７５０ｂの概略構成を示す説明図である。第２色分版テーブル７５０ｂは、デバイスリンクプロファイル６４０と、第１色分版テーブル７５０ａと、を備える。デバイスリンクプロファイル６４０は、第２プロファイル６２０と第３プロファイル６３０とを有しており、デバイスカラーｃｍｙｋ１をデバイスカラーｃｍｙｋ２に変換する。第２プロファイル６２０は、上述したように、Ｂ２Ａテーブルを含んでいる。第２色分版テーブル７５０ｂ中の第２プロファイル６２０は、Ｂ２Ａテーブルを逆向き、すなわち、Ａ２Ｂテーブルとして使用し、機器依存のＣＭＹＫ色空間のデバイスカラーｃｍｙｋ１を機器非依存のＬＡＢ色空間の色彩値Ｌａｂに変換する。
【００１８】
第３プロファイル６３０は、印刷装置２００及びラミネートフィルムに依存するＣＭＹＫ色空間などの機器依存色空間と機器非依存色空間との相関関係を記述したＩＣＣプロファイルである。第３プロファイル６３０は、Ｂ２Ａテーブルを含んでおり、Ｂ２Ａテーブルに従って機器非依存のＬＡＢ色空間の色彩値Ｌａｂを機器依存のＣＭＹＫ色空間のデバイスカラーｃｍｙｋ２に変換する。デバイスカラーｃｍｙｋ２は、第１色分版テーブル７５０ａに従ってインク使用量ＩＮＫ２に変換され、印刷装置２００に印刷を実行させる印刷データが生成される。第３プロファイル６３０の作成等については、後述する。なお、第２色分版テーブル７５０ｂが第１色分版テーブル７５０ａを備えずに、デバイスリンクプロファイル６４０の出力を、図１に示す第１色分版テーブル７５０ａに入力するようにしてもよい。また、第１プロファイル６１０の出力Ｌａｂを第３プロファイル６３０に入力し、第３プロファイル６３０の出力ｃｍｙｋ２を第１色分版テーブル７５０ａに入力する構成としてもよい。
【００１９】
Ａ−２）色変換装置のハードウエア構成：
図３は、色変換装置１００の概略構成を示すブロック図である。色変換装置１００は、処理部としてのＣＰＵ（Central Processing Unit）１１１、ＲＯＭ（Read Only Memory）１１２、ＲＡＭ（Random Access Memory）１１３、記憶装置１１４、入力装置１１５、表示装置１１６、通信Ｉ／Ｆ（インターフェイス）１１７、測色装置用のＩ／Ｆ１１８、を備える。色変換装置１００は、ＩＣＣ（International Color Consortium）プロファイルを用いたカラーマネジメントや印刷装置２００に印刷を行わせる印刷ジョブなどの制御を行う。色変換装置１００の各部は、バス１１９を介して接続され、互いに情報を入出力可能とされている。ＲＯＭ１１２とＲＡＭ１１３と記憶装置１１４はメモリーであり、少なくともＲＯＭ１１２とＲＡＭ１１３は半導体メモリーである。表示装置１１６には、液晶表示パネルなどを用いることができる。色変換装置１００は、例えば、パーソナルコンピューターを用いて構成できる。色変換装置１００の一部又は全部が印刷装置２００に組み込まれた構成であってもよい。
【００２０】
記憶装置１１４は、図示しないＯＳ（オペレーティングシステム）、ＩＣＣプロファイル、第１色分版テーブル７５０ａ、第２色分版テーブル生成プログラムなどを記憶している。記憶装置１１４には、フラッシュメモリーなどの不揮発性半導体メモリー、ハードディスクなどの磁気記憶装置を用いることができる。ＲＡＭ１１３は、ＣＰＵ１１１が動作するプログラムを格納する領域や動作する作業領域などを確保する記憶媒体である。ＣＰＵ１１１は、記憶装置１１４に記憶されている情報を適宜、ＲＡＭ１１３に読み出し、読み出したプログラムを実行することにより各種処理を行い、印刷装置２００に印刷を実行させる印刷データを生成する。
【００２１】
入力装置１１５には、ポインティングデバイス、キーボードを含むハードキー、表示パネルの表面に貼り付けられたタッチパネルなどを用いることができる。通信Ｉ／Ｆ１１７は、印刷装置２００の通信Ｉ／Ｆ２１０に接続され、印刷装置２００に対して印刷データなどの情報を入出力する。測色装置用のＩ／Ｆ１１８は、測色装置１２０に接続され、測色装置１２０から測色値を含む測色データを入手する。Ｉ／Ｆ１１７，１１８，２１０の規格には、ＵＳＢ（Universal Serial Bus）、近距離無線通信規格などを用いることができる。Ｉ／Ｆ１１７，１１８，２１０の通信は、有線でもよいし、無線でもよく、ＬＡＮ（Local Area Network）やインターネットなどのネットワーク通信でもよい。
【００２２】
測色装置１２０は、印刷媒体ＭＥ１に形成されたカラーチャートの各パッチを測色して分光反射率や測色値を出力可能である。パッチは、色票とも呼ばれる。測色値は、例えば、ＬＡＢ色空間における明度Ｌ及び色度座標ａ，ｂを表す値とされる。色変換装置１００は、測色装置１２０から測色データを取得して各種処理を行う。なお、測色装置１２０は、印刷装置２００に組み込まれた構成であってもよい。
【００２３】
印刷装置２００は、色変換装置１００で生成された印刷データに従って、各種インクを記録ヘッド２２０から吐出して印刷画像ＩＭ１，ＩＭ２を形成するインクジェットプリンターである。例えば、Ｃインク、Ｍインク、Ｙインク、及び、Ｋインクを吐出する記録ヘッド２２０の場合、記録ヘッド２２０は、インクカートリッジＣｃ，Ｃｍ，Ｃｙ，ＣｋからそれぞれＣＭＹＫのインクが供給され、ノズルＮｃ，Ｎｍ，Ｎｙ，ＮｋからそれぞれＣＭＹＫのインク滴２３０を吐出する。インク滴２３０が印刷媒体ＭＥ１に着弾すると、インクドットが印刷媒体ＭＥ１に形成される。その結果、印刷媒体ＭＥ１上に印刷画像ＩＭ１，ＩＭ２を有する印刷物が得られる。
【００２４】
Ａ−３）分光反射率の取得および第3プロファイルの作成：
以上説明した色変換装置１００および印刷装置２００を用いて、各種印刷媒体への印刷を行ない、また印刷媒体をラミネート加工する場合もあり得る。こうした場合に、印刷され、ラミネート加工された印刷画像ＩＭ３が、ラミネート加工されない印刷画像ＩＭ１と同じように見えるようにするために行なわれる画像処理の実際について、以下、詳しく説明する。図４は、ラミネート加工されることを前提とし、また印刷画像が形成される印刷媒体として、蛍光増白剤が表面に塗布された印刷媒体と、蛍光増白剤が塗布されていない印刷媒体との２種類が存在する、という前提で行なわれる色変換処理のうち、分光反射率を取得する工程を示す説明図である。カラーチャートＣＴ０として、例えば、「ＴＣ９．１８チャート」などを使用できる。カラーチャート画像ＣＴ０のデバイスカラーＲＧＢｉｎは、第１プロファイル６１０に含まれるＡ２Ｂテーブルに従って機器依存のＲＧＢ色空間から機器非依存のＬＡＢ色空間の色彩値Ｌａｂに変換され、さらにラミネート加工前のプロファイルとしての第２プロファイル６２０に含まれるＢ２Ａテーブルに従って印刷装置２００に依存する機器依存のＣＭＹＫ色空間のデバイスカラーｃｍｙｋ１に変換される。カラーチャートのデバイスカラーｃｍｙｋ１は、第１色分版テーブル７５０ａに従ってインク使用量ＩＮＫ１に変換される。
【００２５】
印刷装置２００は、インク使用量ＩＮＫ１に従って各種のインクを吐出することで印刷媒体ＭＥ１上に印刷された印刷物であるカラーチャートＣＴ１を印刷する。
【００２６】
作業者は、分光反射率を取得する。作業者は、色変換装置１００に接続された測色装置１２０を用いて、紫外線カットありの状態でカラーチャートＣＴ１の各パッチの分光反射率を波長λごとに測定し、ラミネート加工前における紫外線カットありの第１の分光反射率Ｒ１（Ｎ，λ）を取得する。ここで、Ｎは、カラーパッチを識別する番号であり、λは、波長である。波長λの範囲は、可視光線の範囲である３８０ｎｍから７３０ｎｍであり、波長λの刻み幅は、例えば、１０ｎｍである。なお、波長λの範囲を、３８０ｎｍから７３０ｎｍより広げても良い。例えば、波長λの下限を３６０ｎｍとし、上限を８００ｎｍとしてもよい。また、波長λの刻み幅は、１０ｎｍに限られず任意の幅であってもよい。次いで、測色装置１２０を用いて、紫外線カットなしの状態でカラーチャートＣＴ１の各パッチの分光反射率を波長３８０ｎｍから７３０ｎｍまで１０ｎｍ刻みで測定し、ラミネート加工前における紫外線カットなしの第２の分光反射率Ｒ２（Ｎ，λ）を取得する。なお、作業者は、第１の分光反射率Ｒ１（Ｎ，λ）と第２の分光反射率Ｒ２（Ｎ，λ）のいずれを先に取得してもよい。第１の分光反射率Ｒ１（Ｎ，λ）と第２の分光反射率Ｒ２（Ｎ，λ）は、記憶装置１１４に格納される。
【００２７】
作業者は、ラミネート装置３００を用いて、カラーチャートＣＴ１に対してラミネート加工を行い、ラミネート加工されたカラーチャートＣＴ２を得る。作業者は、同様に、測色装置１２０を用いて、カラーチャートＣＴ２の各パッチの分光反射率を波長λごとに測定し、紫外線カットありの第３の分光反射率Ｒ３（Ｎ，λ）と紫外線カットなしの第４の分光反射率Ｒ４（Ｎ，λ）を取得する。第３の分光反射率Ｒ３（Ｎ，λ）と第４の分光反射率Ｒ４（Ｎ，λ）は、記憶装置１１４に格納される。
【００２８】
図５は、色変換装置１００における第３プロファイル６３０を作成する構成を示す説明図である。色変換装置１００は、分光反射率取得部１３０と、変換式算出部１３２と、紫外線カット率算出部１３４と、ラミネート加工後分光反射率算出部１３６と、プロファイル作成部１３８と、を備える。分光反射率取得部１３０と、変換式算出部１３２と、紫外線カット率算出部１３４と、ラミネート加工後分光反射率算出部１３６と、プロファイル作成部１３８は、色変換装置１００のＣＰＵ１１１が、プログラムを実行することで実現するように、ソフトウエアで構成されていてもよく、ハードウエアで構成されていてもよい。
【００２９】
分光反射率取得部１３０は、測色装置１２０から、分光反射率Ｒ１（Ｎ，λ）、Ｒ２（Ｎ，λ）、Ｒ３（Ｎ，λ）、Ｒ４（Ｎ，λ）を取得する。ここで、分光反射率Ｒ１（Ｎ，λ）、Ｒ２（Ｎ，λ）、Ｒ３（Ｎ，λ）、Ｒ４（Ｎ，λ）は、上述したように、それぞれ、ラミネート加工前における紫外線カットありの第１の分光反射率Ｒ１（Ｎ，λ）、ラミネート加工前における紫外線カットなしの第２の分光反射率Ｒ２（Ｎ，λ）、ラミネート加工後における紫外線カットありの第３の分光反射率Ｒ３（Ｎ，λ）、ラミネート加工御における紫外線カットなしの第４の分光反射率Ｒ４（Ｎ，λ）であり、上述したように、記憶装置１１４に記憶されている。
【００３０】
変換式算出部１３２は、分光反射率取得部１３０が取得した複数種類の分光反射率を用いて、ラミネート加工前の分光反射率をラミネート加工後の分光反射率に変換する変換式を算出する。
【００３１】
紫外線カット率算出部１３４は、ラミネート加工前の分光反射率とラミネート加工後の分光反射率とを用いて、ラミネート加工による紫外線カット率ＵＰＦ（λ）を算出する。
【００３２】
ラミネート加工後分光反射率算出部１３６は、分光反射率変換式と紫外線カット率ＵＰＦ（λ）とを用いて、入力画像が印刷される印刷物のラミネート加工後の分光反射率を算出する。
【００３３】
プロファイル作成部１３８は、ラミネート加工後の分光反射率と、光源１２５の分光分布データとを用いて、Ｂ２Ａテーブルを含む第３プロファイル６３０を作成する。
【００３４】
図６は、各パッチについて、紫外線カットありの状態で測定された４３０ｎｍにおける第１の反射率Ｒ１と第３の反射率Ｒ３の関係を示したグラフである。印刷媒体ＭＥ１は、蛍光増白剤を含んでおり、印刷媒体ＭＥ２は、蛍光増白剤を含んでいない。蛍光増白剤は、印刷媒体の白をより白く見せる作用を有する。蛍光増白剤は、紫外領域（波長１０ｎｍ〜４００ｎｍ）の光を吸収し、それより低いエネルギー、すなわち、紫外線よりも波長の長い波長、例えば４３０ｎｍ付近の波長の光を放出する。その結果、反射率が高く測定される。しかし、紫外線カットありの状態では、紫外領域（波長１０ｎｍ〜４００ｎｍ）の光がカットされているため、印刷媒体ＭＥ１の蛍光増白剤は、紫外領域（波長１０ｎｍ〜４００ｎｍ）の光を吸収できない。そのため、紫外領域より低いエネルギー、すなわち、紫外線よりも波長の長い波長を放出しない。その結果、反射率が高く測定されることはない。印刷媒体ＭＥ１の第１の反射率Ｒ１（４３０ｎｍ）と第３の反射率Ｒ３（４３０ｎｍ）の関係、及び、印刷媒体ＭＥ２の第１の反射率Ｒ１（４３０ｎｍ）と第３の反射率Ｒ３（４３０ｎｍ）の関係は、いずれも線形関係にある。また、紫外線の影響を受けないため、ほぼ重なっている。
【００３５】
図７は、各パッチについて、紫外線カットなしの状態で測定された４３０ｎｍにおける第２の反射率Ｒ２と第４の反射率Ｒ４の関係を示すグラフである。紫外線カットなしの状態では、蛍光増白剤を含んでいる印刷媒体ＭＥ１は、紫外領域の光を吸収し、紫外線に近い波長４３０ｎｍ付近の光を放出するため、ラミネート加工前の波長４３０ｎｍ付近の第２の分光反射率Ｒ２が大きくなる。印刷媒体ＭＥ１の第２の反射率Ｒ２（４３０ｎｍ）と第４の反射率Ｒ４（４３０ｎｍ）の関係、及び、印刷媒体ＭＥ２の第２の反射率Ｒ２（４３０ｎｍ）と第４の反射率Ｒ４（４３０ｎｍ）の関係は、いずれも線形関係にあるが、紫外線の影響を受け、重なっていない。
【００３６】
Ａ−４）色変換テーブルの作成：
図８、図９は、印刷媒体の蛍光増白剤の効果を考慮した色変換テーブルの作成工程を示す説明図である。ステップＳ１００では、作業者は、色変換装置１００を用いて複数パッチを有するカラーチャート画像ＣＴ０を色変換し、印刷装置２００を用いてカラーチャートＣＴ１の印刷を行う。
【００３７】
ステップＳ１１０では、作業者は、色変換装置１００に接続された測色装置１２０を用いて、紫外線カットありの状態と紫外線カットなしの状態でカラーチャートＣＴ１の各パッチの分光反射率を、波長λごとに測定してラミネート加工前の紫外線カットありの第１の分光反射率Ｒ１（Ｎ，λ）と、ラミネート加工前の紫外線カットなしの第２の分光反射率Ｒ２（Ｎ，λ）を取得する。分光反射率Ｒ１（Ｎ，λ）、Ｒ２（Ｎ，λ）のデータは、記憶装置１１４に格納される。
【００３８】
ステップＳ１２０では、作業者は、ラミネート装置３００を用いてカラーチャートＣＴ１の印刷された印刷媒体ＭＥ１をラミネート加工し、ラミネート加工された印刷物であるカラーチャートＣＴ２を得る。
【００３９】
ステップＳ１３０では、作業者は、同様に、色変換装置１００に接続された測色装置１２０を用いて、カラーチャートＣＴ２の各パッチの分光反射率を波長λごとに測色してラミネート加工後の紫外線カットありの第３の分光反射率Ｒ３（λ）と、ラミネート加工後の紫外線カットなしの第４の分光反射率Ｒ４（λ）を取得する。分光反射率Ｒ３（Ｎ，λ）、Ｒ４（Ｎ，λ）のデータは、記憶装置１１４に格納される。
【００４０】
ステップＳ１４０では、作業者は、変換式算出部１３２に、ラミネート加工前の分光反射率をラミネート加工後の分光反射率に変換する分光反射率変換式を作成させる。変換式算出部１３２は、ラミネート加工前の分光反射率Ｒ２（Ｎ，λ）とラミネート加工後の分光反射率Ｒ４（Ｎ，λ）との間に線形関係があるとして、ラミネート加工後の分光反射率Ｒ４（Ｎ，λ）を以下の式（１）により求めるものとする。
Ｒ４（Ｎ，λ）＝ａ（λ）Ｒ２（Ｎ，λ）＋ｂ（λ）  …（１）
ここで、係数ａ（λ），ｂ（λ）は、以下の式（２）、（３）で示される。
ａ（λ）＝［｛Ｒ３（ｗ，λ）−Ｒ３（ｋ，λ）｝／｛Ｒ１（ｗ，λ）−Ｒ１（ｋ，λ）  ｝  …（２）
ｂ（λ）＝−  Ｒ１（ｗ，λ）・［｛Ｒ３（ｗ，λ）−Ｒ３（ｋ，λ）  ｝／｛Ｒ１（ｗ，λ）−Ｒ１（ｋ，λ）  ｝］＋  Ｒ３（ｗ，λ）    …（３）
式（２）、（３）において、Ｒ１（ｗ，λ）、Ｒ１（ｋ，λ）、Ｒ３（ｗ，λ）、Ｒ３（ｋ，λ）は、それぞれ、以下のように定義される。
Ｒ１（ｗ，λ）：紫外線カットありのラミネート加工前の紙白の反射率。
Ｒ１（ｋ，λ）：紫外線カットありのラミネート加工前の黒点の反射率。
Ｒ３（ｗ，λ）：紫外線カットありのラミネート加工後の紙白の反射率。
Ｒ３（ｋ，λ）：紫外線カットありのラミネート加工後の黒点の反射率。
ここで、紙白とは、インクを打っていない部分を意味し、黒点とは、黒色のインクを打っている部分を意味する。黒色のインクは、ブラック（ｋ）のインクを意味するが、シアン（ｃ）、マゼンタ（ｍ）、イエロー（ｙ）を用いて形成した黒色であってもよく、シアン、マゼンタ、イエロー、ブラックを用いて形成した黒色（ＲｉｃｈＫ）であってもよい。
【００４１】
作業者は、分光反射率変換式を作成した複数種類の結果を記憶装置１１４内のデータベースに蓄積し、蓄積したデータベースを基に、変換式算出部１３２に、機械学習を用いて、ラミネート加工前の分光反射率とラミネート加工後の分光反射率とから分光反射率変換式を作成させてもよい。機械学習としては、決定木、ランダムフォレスト、クラスタリング、サポートベクタマシン、ニューラルネットワークなどの公知の方法を採用できる。なお、分光反射率変換式は、１次関数で表すものと説明したが、２次以上の関数で表されたものであってもよい。
【００４２】
図６のステップＳ１５０では、作業者は、紫外線カット率算出部１３４に、ラミネート加工による紫外線カット率ＵＰＦ（λ）を算出させる。紫外線カット率算出部１３４は、ラミネート加工前の分光反射率とラミネート加工後の分光反射率とを用いて、紫外線カット率ＵＰＦ（λ）を、以下の式で算出する。
ＵＰＦ（λ）＝｛Ｒ４（ｗ，λ）−  Ｒ３（ｗ，λ）｝／｛Ｒ２（ｗ，λ）−  Ｒ１（ｗ，λ）｝  …（４）
ここで、Ｒ２（ｗ，λ）、Ｒ４（ｗ，λ）は、以下のように定義される。
Ｒ２（ｗ，λ）：紫外線カットなしのラミネート加工前の紙白の第２の分光反射率。
Ｒ４（ｗ，λ）：紫外線カットなしのラミネート加工後の紙白の第４の分光反射率。
なお、Ｒ１（ｗ，λ）、Ｒ３（ｗ，λ）については、式（１）〜（３）の説明で定義している。作業者は、紫外線カット率算出部１３４に、機械学習を用いて、紫外線カット率ＵＰＦ（λ）を算出させてもよい。
【００４３】
ステップＳ１６０では、作業者は、印刷装置２００に、プロファイル作成用チャートを、分光反射率を予測したい印刷媒体に印刷させ、測色装置１２０を用いて、紫外線カットありと紫外線カットなしの分光反射率Ｒ１（Ｎ，λ）とＲ２（Ｎ，λ）を取得する。プロファイル作成用チャートとしては、例えば、ＥＣＩ２００２やＴＣ９１８が用いられる。なお、プロファイル作成用チャートがステップＳ１００で用いたカラーチャートと同じ場合には、ステップＳ１１０の測定結果を用いてもよい。
【００４４】
ステップＳ１７０では、作業者は、ラミネート加工後分光反射率算出部１３６に、蛍光増白剤の影響を考慮しないラミネート加工後の分光反射率Ｒ５（Ｎ，λ）を算出させる。この分光反射率Ｒ５（λ）は、以下の式により表される。
Ｒ５（Ｎ，λ）＝ａ（λ）Ｒ１（Ｎ，λ）＋ｂ（λ）  …（５）
ここで、ａ（λ）、ｂ（λ）は、式（２）、（３）で算出された値である。
【００４５】
ステップＳ１８０では、作業者は、ラミネート加工後分光反射率算出部１３６に、蛍光増白剤の影響を考慮したラミネート加工後の分光反射率Ｒ６（λ）を算出させる。分光反射率Ｒ６（λ）は、以下の式により表される。
Ｒ６（Ｎ，λ）＝Ｒ５（Ｎ，λ）＋｛Ｒ２（Ｎ，λ）−Ｒ１（Ｎ，λ）｝・ＵＰＦ（λ）  …（６）
【００４６】
ステップＳ１９０では、作業者は、プロファイル作成部１３８に、算出されたラミネート加工後の分光反射率（式（５）または式（６））と光源１２５の分光分布データとを用いてラミネート加工後に印刷物の入力画像ＩＭ０の色を再現させるラミネート加工後のプロファイルとしての第３プロファイル６３０を作成させる。
【００４７】
光源１２５は、上述したように、印刷画像ＩＭ３が掲示される場所の照明光源であり、その分光分布データは、記憶装置１１４に格納されている。
【００４８】
図１０は、各プロファイル６２０，６３０，６４０に含まれるＡ２Ｂテーブル，Ｂ２Ａテーブル、Ａ２Ａテーブルを示す説明図である。第２プロファイル６２０のＡ２Ｂテーブルは、デバイスカラーｃｍｙｋ１の座標値ｃ１ｉ，ｍ１ｉ，ｙ１ｉ，ｋ１ｉと色彩値Ｌａｂの座標値Ｌｉ，ａｉ，ｂｉとの対応関係を規定したテーブルである。この場合のＡ２Ｂテーブルの格子点ＧＤ１は、通常、ＣＭＹＫ色空間にＣ軸、Ｍ軸、Ｙ軸、及び、Ｋ軸へ略等間隔となるように並べられる。ここでの変数ｉは、ＣＭＹＫ色空間に設定された格子点ＧＤ１を識別する変数である。同様に、第３プロファイル６３０のＢ２Ａテーブルは、色彩値Ｌａｂの座標値Ｌｊ，ａｊ，ｂｊと、印刷装置２００のデバイスカラーｃｍｙｋ２の座標値ｃ２ｊ，ｍ２ｊ，ｙ２ｊ，ｋ２ｊとの対応関係を規定したテーブルである。この場合のＢ２Ａテーブルの格子点ＧＤ２は、通常、Ｌａｂ色空間にＬ軸、ａ軸、及び、ｂ軸へ略等間隔となるように並べられる。このとき、ＣＰＵ１１１は、Ｂ２Ａテーブルの格子点ＧＤ２の間隔が格子点ＧＤ１の間隔と同じになるように、補間してＬａｂ色空間にＬ軸、ａ軸、及び、ｂ軸へ略等間隔となるように並べてもよい。変数ｊは、Ｌａｂ色空間に設定された格子点ＧＤ２を識別する変数である。
【００４９】
プロファイル作成部１３８は、ステップＳ１８０で算出されたラミネート加工後の分光反射率と、Ｄ５０の分光分布データとからラミネート加工後にラミネート加工前の印刷画像ＩＭ１の色を再現させるＣＭＹＫ色空間のデバイスカラーｃｍｙｋ２を算出する。プロファイル作成部１３８は、図１０に示す、機器非依存のＬＡＢ色空間の色彩値Ｌａｂから印刷装置２００に依存する機器依存のＣＭＹＫ色空間のデバイスカラーｃｍｙｋ２に変換するＢ２Ａテーブルを含む第３プロファイル６３０を作成する。
【００５０】
ステップＳ２００では、作業者は、プロファイル作成部１３８に、ラミネート加工前に入力画像ＩＭ０の色を再現させるラミネート加工前のプロファイルとしての第２プロファイル６２０と第３プロファイル６３０とからデバイスリンクプロファイル６４０を作成させる。図１に示すＲＩＰ４００から出力された機器依存のＣＭＹＫ色空間のデバイスカラーｃｍｙｋ１は、図２に示すように、第２プロファイル６２０に含まれるＡ２Ｂテーブルに従って、機器非依存のＬＡＢ色空間の色彩値Ｌａｂに変換される。
【００５１】
図１０に示すＡ２Ａテーブルは、プロファイル作成部１３８が第２プロファイル６２０のＡ２Ｂテーブルと第３プロファイル６３０のＢ２Ａテーブルとを合成して作成したＤＬＰ６４０の一例である。ＤＬＰ６４０は、ＲＩＰ４００から出力されたデバイスカラーｃｍｙｋ１の座標値ｃ１ｉ，ｍ１ｉ，ｙ１ｉ，ｋ１ｉとラミネート加工後に、ラミネート加工前の印刷画像ＩＭ１の色を再現させるデバイスカラーｃｍｙｋ２の座標値ｃ２ｉ，ｍ２ｉ，ｙ２ｉ，ｋ２ｉとの対応関係を規定したデータである。この場合のＡ２Ａテーブルの格子点ＧＤ１は、第２プロファイル６２０のＡ２Ｂテーブルの格子点である。
【００５２】
図９のステップＳ２１０では、作業者は、プロファイル作成部１３８に、第２色分版テーブル７５０ｂを作成させる。ＣＰＵ１１１は、ステップＳ２００で作成したＤＬＰ６４０と既存の第１色分版テーブル７５０ａとを合成して、新たに第２色分版テーブル７５０ｂを作成する。第２色分版テーブル７５０ｂは、図１０に示すように、ＣＭＹＫ色空間のデバイスカラーｃｍｙｋ１と、ラミネート加工後に入力画像ＩＭ０の色を再現させるＣ，Ｍ，Ｙ，Ｋ，Ｌｃ，Ｌｍなどのそれぞれのインク使用量ＩＮＫ２を表す階調値と、が対応付けられたＡ２Ａテーブルとなる。
【００５３】
Ａ−５）色変換処理の実際：
図１１は、色変換装置１００のＣＰＵ１１１が実行する色変換処理フローチャートである。ステップＳ３００では、ＣＰＵ１１１は、入力画像ＩＭ０を取得する。入力画像は、色変換装置１００と異なる装置で作成された画像であってもよい。
【００５４】
ステップＳ３１０では、ＣＰＵ１１１は、入力画像ＩＭ０を印刷装置２００で印刷する画像をラミネート加工するか否かを判断する。画像をラミネート加工するか否か、については、作業者により、色変換装置１００に予め入力されている。ＣＰＵ１１１は、印刷画像をラミネート加工する場合には、処理をステップＳ３２０に移行して第２分版テーブル７５０ｂを選択し、印刷画像をラミネート加工しない場合には、処理をステップＳ３３０に移行して第１分版テーブル７５０ａを選択する。ステップＳ３４０では、ＣＰＵ１１１は、ＲＩＰ４００を用いて入力画像ＩＭ０のデバイスカラーＲＧＢｉｎをＣＭＹＫ色空間のデバイスカラーｃｍｙｋ１に変換する。その後、ＣＰＵ１１１は、印刷画像をラミネート加工する場合には選択された第２分版テーブル７５０ｂを用いて、インク量ＩＮＫ２を生成し、印刷画像をラミネート加工しない場合には選択された第１分版テーブル７５０ａを用いて、インク量ＩＮＫ１を生成する。
【００５５】
このように、印刷画像をラミネート加工しない場合は、入力画像ＩＭ０のデバイスカラーＲＧＢｉｎが第２プロファイル６２０によりＣＭＹＫ色空間のデバイスカラーｃｍｙｋ１に変換され、第１分版テーブル７５０ａによりインク量ＩＮＫ１が生成され、入力画像ＩＭ０の色を再現した印刷画像ＩＭ１が印刷装置２００で形成される。印刷物をラミネート加工する場合は、ＣＭＹＫ色空間のデバイスカラーｃｍｙｋ１が第２色分版テーブル７５０ｂに含まれる第３プロファイル６３０によってＣＭＹＫ色空間のデバイスカラーｃｍｙｋ２に変換され、第２分版テーブル７５０ｂによりインク量ＩＮＫ２が生成され、ラミネート加工後に入力画像ＩＭ０の色を再現する印刷画像ＩＭ２が印刷装置２００で形成される。印刷画像ＩＭ２をラミネート装置３００でラミネート加工することにより、印刷画像ＩＭ３が得られる。印刷画像ＩＭ３は、ラミネート加工前の印刷画像ＩＭ１の色を再現している。印刷画像ＩＭ１を測色装置１２０で測色した分光反射率の結果と、印刷画像ＩＭ３を測色装置１２０で測色した分光反射率の結果との色差ΔＥは、印刷画像ＩＭ３のガマット内にある色において、２以下であった。
【００５６】
以上述べたように、本実施形態に係る印刷方法及び色変換装置１００によれば、以下の効果を得ることができる。
入力画像ＩＭ０をラミネート加工する印刷媒体ＭＥ１に印刷する場合、作業者は、印刷媒体ＭＥ１に印刷したカラーチャートＣＴ１と、更にラミネート加工したカラーチャートＣＴ２とを、紫外線カットありの状態と紫外線カットなしの状態で測色する。作業者は、ＣＰＵ１１１に、取得したラミネート加工前における紫外線カットありの第１の分光反射率Ｒ１と紫外線カットなしの第２の分光反射率Ｒ２と、ラミネート加工後における紫外線カットありの第３の分光反射率Ｒ２と紫外線カットなしの第４の分光反射率Ｒ４とを用いて、分光反射率変換式を作成させる。作業者は、プロファイル作成部１３８に、ラミネート加工後に入力画像ＩＭ０の色を再現する第３プロファイル６３０を、分光反射率変換式及び光源１２５の分光分布データに従って作成させる。第３プロファイル６３０は、正確な実測値に従っているので、印刷物をラミネート加工した後に入力画像ＩＭ０の色を高精度に再現させるプロファイルとなる。
【００５７】
本色変換方法においては、可視光線の波長範囲３８０ｎｍ〜７３０ｎｍを１０ｎｍ間隔の波長毎に分光反射率変換式が生成される。これにより、波長ごとに第３プロファイル６３０を作成できるので、印刷媒体の蛍光増白剤の有無による影響を受けることなく、色再現性を向上できる。
【００５８】
分光反射率変換式の作成に機械学習を用いることで、第３プロファイル６３０による入力画像ＩＭ０の色再現性が向上される。ラミネート加工後の分光反射率の予想に機械学習を用いることで、第３プロファイル６３０による入力画像ＩＭ０の色再現性が向上される。
【００５９】
ラミネート加工しない場合に印刷される印刷画像ＩＭ１の分光反射率と、ラミネート加工する場合に印刷される印刷画像ＩＭ２をラミネート加工して得られる印刷画像ＩＭ３の分光反射率とから得られる色差ΔＥは、印刷画像ＩＭ３のガマット内にある色において、２以下であった。これにより、色差ΔＥが、印刷画像ＩＭ３のガマット内にある色において、２以下となる印刷方法を提供できる。
【００６０】
上記形態において、色変換装置１００のＣＰＵ１１１は、印刷媒体の違い、ラミネートフィルムの違い、印刷装置２００の違い、光源１２５の違いなど、様々な要因に応じた第３プロファイル６３０を作成しても良い。
【００６１】
Ｂ. 他の実施形態：
入力画像ＩＭ０をラミネート加工する印刷媒体ＭＥ１に印刷するための印刷データを生成する色変換装置１００は、実測されたラミネート加工前における紫外線カットありの第１の分光反射率Ｒ１、ラミネート加工前における紫外線カットなしの第２の分光反射率Ｒ２と、ラミネート加工後における紫外線カットありの第３の分光反射率Ｒ３、ラミネート加工後における紫外線カットなしの第４の分光反射率Ｒ４とから作成した分光反射率変換式に従って、ラミネート加工後に入力画像ＩＭ０の色を再現する第３プロファイル６３０を作成する。第３プロファイル６３０は、正確な実測値に従っているので、印刷物をラミネート加工した後に入力画像ＩＭ０の色を高精度に再現させる第３プロファイル６３０を生成できる。
【００６２】
図１２は、他の実施形態に係る画像処理の概要を模式的に例示する図である。図１との相違は、第２分版テーブル７５０ｂを備えておらず、第３プロファイル６３０を備えている。第３プロファイル６３０には、第１プロファイル６１０の出力である色彩値Ｌａｂが入力され、第３プロファイル６３０からは、デバイスカラーｃｍｙｋ２が出力され、デバイスカラーｃｍｙｋ２は、第１分版テーブル７５０ａに入力される。この構成であっても、ラミネート加工された印刷画像ＩＭ３の色は、入力画像ＩＭ０の色を再現した色となる。
【００６３】
Ｃ. 他の態様：
本開示は、上述した実施形態に限られるものではなく、その趣旨を逸脱しない範囲において種々の形態で実現できる。例えば、本開示は、以下の形態によっても実現可能である。以下に記載した各形態中の技術的特徴に対応する上記実施形態中の技術的特徴は、本開示の課題の一部又は全部を解決するために、あるいは、本開示の効果の一部又は全部を達成するために、適宜、差し替えや、組み合わせを行うことが可能である。また、その技術的特徴が本明細書中に必須なものとして説明されていなければ、適宜、削除することが可能である。
【００６４】
（１）本開示の一形態によれば、入力画像をラミネート加工される印刷媒体に印刷する場合の色に変換する色変換方法が提供される。この色変換方法は、複数パッチのカラーチャートを特定の印刷装置を用いて前記印刷媒体に印刷し、前記カラーチャートを、ラミネート加工前の紫外線のカットありとなしの状態で測色してラミネート加工前の分光反射率を取得し、ラミネート加工された前記カラーチャートに対し、紫外線のカットありとなしの状態で測色してラミネート加工後の分光反射率を取得し、ラミネート加工前の分光反射率からラミネート加工後の分光反射率を求める分光反射率変換式を算出し、ラミネート加工前の分光反射率とラミネート加工後の分光反射率とを用いてラミネート加工による紫外線カット率を算出し、前記分光反射率変換式と紫外線カット率とを用いて、前記入力画像が前記特定の印刷装置を用いて印刷された場合の前記印刷媒体のラミネート加工後の分光反射率を算出し、算出されたラミネート加工後の分光反射率と光源の分光分布データとを用いてラミネート加工後に前記入力画像の色を再現させるラミネート加工後のプロファイルを作成し、ラミネート加工後のプロファイルを用いて前記入力画像の色を変換する。この形態によれば、印刷物をラミネート加工した後の画像において、入力画像の色を高精度に再現させることができる。
【００６５】
（２）上記形態の色変換方法において、前記分光反射率変換式を作成する工程は、可視光線における任意の間隔の波長毎に前記分光反射率変換式を作成することを特徴としてもよい。この形態によれば、波長ごとに分光反射率変換式を作成できるので、色再現性を向上できる。
【００６６】
（３）上記形態の色変換方法において、前記分光反射率変換式を作成する工程は、前記分光反射率変換式作成工程は、前記分光反射率変換式を作成した結果の複数種類をデータベースに格納し、前記データベースを基に、機械学習を用いて、前記分光反射率変換式を作成することを特徴としてもよい。この形態によれば、分光反射率変換式の作成に機械学習を用いるので、入力画像の色再現性を向上できる。
【００６７】
（４）上記形態の色変換方法において、ラミネート加工後の分光反射率を算出する工程は、機械学習を用いて、ラミネート加工後の分光反射率を算出することを特徴としてもよい。この形態によれば、蛍光増白剤の影響を考慮し、入力画像の色再現性を向上できる。
【００６８】
（５）上記形態の色変換方法において、ラミネート加工後のプロファイルにより変換された前記入力画像を印刷した印刷物をラミネート加工後に測色した分光反射率の結果と、ラミネート加工前のプロファイルにより変換された前記入力画像を印刷した印刷物を測色した分光反射率の結果と、の色差ΔＥは、ラミネート加工後の印刷物のガマット内にある色において、２以下であることを特徴としてもよい。
【００６９】
（６）本開示の一形態によれば、入力画像をラミネート加工される印刷媒体に印刷するための色変換を行う色変換装置が提供される。この色変換装置は、特定の印刷装置を用いて印刷された複数パッチのカラーチャートの分光反射率を取得する分光反射率取得部と、ラミネート加工前の紫外線のカットありとなしの状態で測色されたラミネート加工前の分光反射率と、ラミネート加工後の紫外線のカットありとなしの状態で測色されたラミネート加工後の分光反射率とを用い、ラミネート加工前の分光反射率からラミネート加工後の分光反射率を求める分光反射率変換式を算出する変換式算出部と、ラミネート加工による紫外線カット率を算出する紫外線カット率算出部と、前記分光反射率変換式と紫外線カット率とを用いて、特定の印刷装置を用いて前記入力画像が印刷された場合の前記印刷媒体のラミネート加工後の分光反射率を算出するラミネート加工後分光反射率算出部と、算出されたラミネート加工後の分光反射率と光源の分光分布データとを用いてラミネート加工後に前記入力画像の色を再現させるラミネート加工後のプロファイルを作成するプロファイル作成部と、ラミネート加工後のプロファイルを用いて前記入力画像の色を変換する色変換部と、を備えることを特徴とする。この形態によれば、印刷物をラミネート加工した後の画像において、入力画像の色を高精度に再現させることができる。
【００７０】
本開示は、色変換方法以外の種々の形態で実現することも可能である。例えば、色変換装置や、色変換装置を備える印刷装置、色変換プロファイルの作成方法等の形態で実現できる。
【符号の説明】
【００７１】
１００…色変換装置、１１１…ＣＰＵ、１１２…ＲＯＭ、１１３…ＲＡＭ、１１４…記憶装置、１１５…入力装置、１１６…表示装置、１１９…バス、１２０…測色装置、１２５…光源、１３０…分光反射率取得部、１３２…変換式算出部、１３４…紫外線カット率算出部、１３６…ラミネート加工後分光反射率算出部、１３８…プロファイル作成部表示装置、２００…印刷装置、２２０…記録ヘッド、２３０…インク滴、３００…ラミネート装置、６１０…第１プロファイル、６２０…第２プロファイル、６３０…第３プロファイル、６４０…デバイスリンクプロファイル、７５０ｂ…第２色分版テーブル、７５０ａ…第１色分版テーブル
【図１】
2022002372.tif 000003
【図２】
2022002372.tif 000004
【図３】
2022002372.tif 000005
【図４】
2022002372.tif 000006
【図５】
2022002372.tif 000007
【図６】
2022002372.tif 000008
【図７】
2022002372.tif 000009
【図８】
2022002372.tif 000010
【図９】
2022002372.tif 000011
【図１０】
2022002372.tif 000012
【図１１】
2022002372.tif 000013
【図１２】
2022002372.tif 000014